(57)【特許請求の範囲】
【請求項１】
コンクリート構造物の表面に凹凸模様を転写するために、表側面に凹凸模様を備えたデザインパネルを取り付けた型枠を上下方向に配置可能とするデザインパネルの型枠への取付構造であって、
上部留め具により上端にデザインパネルの上端部が取り付けられた型枠を上下方向に配置する際に、上段の型枠と下段の型枠との間に端部に楔打込み孔を有する下部留め具を設置するとともに、前記楔打込み孔に楔を打込むことにより、上段のデザインパネルの下端部を上段の型枠の下端に取り付けるとともに、上段の型枠と下段の型枠とを略面一に保持することを特徴とするデザインパネルの型枠への取付構造。
【請求項２】
前記デザインパネルは、凹凸模様を有するデザインパネル本体と、該デザインパネル本体の上端部を略直角に折曲して形成されたフランジ部とからなり、前記デザインパネル本体の上端部及び下端部には長さ方向に沿って凹凸模様が施されていない無模様部がそれぞれ形成されるとともに、該下端部の無模様部には長さ方向に沿って前記フランジ部と反対方向へ突出する突起が設けられたことを特徴とする請求項１に記載のデザインパネルの型枠への取付構造。
【請求項３】
前記下部留め具は、前記デザインパネルの突起と略等しい長さを有する鉤形の引掛け部と、該引掛け部の側縁から所定の位置で突出し、前記型枠の厚みと略等しい間隔をおいた位置に楔打込み孔を有する一定幅の平板状の係止部と、前記楔打込み孔に打込み可能な形状を有する楔とからなることを特徴とする請求項２に記載のデザインパネルの型枠への取付構造。
【請求項４】
前記上部留め具は、前記下部留め具の引掛け部と略等しい長さを有する鉤形のデザインパネル側挟持片と、該デザインパネル側挟持片の側縁から所定の位置で突出し、前記型枠と略等しい間隔をおいた位置で前記デザインパネル側挟持片と同方向へ折曲して形成された一定幅の略逆Ｌ字形の型枠側挟持片とからなることを特徴とする請求項３に記載のデザインパネルの型枠への取付構造。
【発明の詳細な説明】
【０００１】
【発明の属する技術分野】
本発明は、コンクリートの表面に凹凸模様を転写するために使用されるデザインパネルの型枠への取付構造に関するものである。
【０００２】
【従来の技術】
従来、建築物の基礎又は塀等のコンクリート構造物は、一般に表面が平滑であるため、変化に乏しく見栄えも悪くなりがちである。そのため、硬化したコンクリート表面にモルタルを塗布したり吹き付けたりしてある程度の凹凸を施したり、タイル貼りすること等により、建築物の基礎又は塀等のコンクリート構造物の見栄えを向上させる工夫をおこなっていた。しかしながら、このような処理は工数が増加して多大な手数と労力を必要とするだけでなく、工期が長くなり、コスト高になるという問題点があった。
【０００３】
そこで、凹凸模様を有するデザインパネルを型枠に取り付けて、コンクリートを打設することが提案されている。このようにすると、コンクリートの打放し工法をおこなうだけで、脱枠後のコンクリートの表面にデザインパネルの凹凸模様の形が転写されるので、モルタルによる処理やタイル貼り等をおこなわずに、コンクリート基礎の外観を建築物の外観にマッチさせることができる。
【０００４】
前記デザインパネル１００は、例えば、図８に示すように、該デザインパネル１００の上端１０１を型枠１０２の上面１０３に乗るように略直角に折り曲げ、下端１０４は型枠１０２の高さより少し短くしておくとともに、下部固定金具１０５の一方の引掛け片１０６が引っ掛かりやすいように２つの膨出部１０７を形成して構成されている。
【０００５】
前記デザインパネル１００の前記型枠１０２への取付けは、上部固定金具１０８の一方の引掛け片１０９を前記デザインパネル１００の上端１０１に引っ掛けて、その他方の引掛け片１１０を前記型枠１０２の側面に掛着させるとともに、前記下部固定金具１０５の一方の引掛け片１０６を前記デザインパネル１００の下端１０４の膨出部１０７の引っ掛けて、その他方の引掛け片１１１を前記型枠１０２の側面に掛着させることによりおこなわれる。
【０００６】
【発明が解決しようとする課題】
しかしながら、この従来のデザインパネル１００は、前述のように、主にコンクリート基礎の側面に凹凸模様を転写ために設計されているので、コンクリート塀のように左右だけでなく上下方向にも広い面を有するコンクリート構造物に凹凸模様を転写する場合には、以下に示す問題点があった。
【０００７】
まず、前記型枠１０２を上下方向に重ねて施工する場合に、前記各型枠１０２にそれぞれ前記デザインパネル１００を取り付けるが、施工後に、前記デザインパネル１００の膨出部１０７及び下部固定金具１０５の一方の引掛け片１０６に対応する溝が現われて、意匠上好ましくないという問題点があった。
【０００８】
また、前記上下方向に隣接する型枠１０２の固定をおこなう際に、上段と下段との間に相対向する型枠１０２間を所定の間隔に保持するセパレータを設置する必要があるが、前記下部固定金具１０５が前記デザインパネル１００の長さ方向全長にわたって設けられるために、その設置が困難となり、前記相対向する型枠１０２間を所定の間隔に保持することができないという問題があった。
【０００９】
更に、前記デザインパネル１００を前記型枠１０２に沿って上下方向に重ねないで施工する場合には、コンクリート構造物の設計高さに対応したデザインパネルが各工事毎に必要となり、作製する前記デザインパネル１００の種類の増加によるコストアップという問題点があった。
【００１０】
更にまた、前記デザインパネル１００の高さにも製作、成形上限界があるという問題点があった。
【００１１】
本発明は、上記課題に鑑みてなされたものであり、コンクリート塀のように横方向にだけでなく上下方向にも広い面を有するコンクリート構造物に凹凸模様を転写するために使用されるデザインパネルの型枠への取付構造を提供することを目的とする。
【００１２】
【課題を解決するための手段】
前記目的を達成するためになされた本発明の請求項１に記載のデザインパネルの型枠への取付構造は、コンクリート構造物の表面に凹凸模様を転写するために、表側面に凹凸模様を備えたデザインパネルを取り付けた型枠を上下方向に配置可能とするデザインパネルの型枠への取付構造であって、上部留め具により上端にデザインパネルの上端部が取り付けられた型枠を上下方向に配置する際に、上段の型枠と下段の型枠との間に端部に楔打込み孔を有する下部留め具を設置するとともに、前記楔打込み孔に楔を打込むことにより、上段のデザインパネルの下端部を上段の型枠の下端に取り付けるとともに、上段の型枠と下段の型枠とを略面一に保持することを特徴とするものである。
【００１３】
請求項２に記載のデザインパネルの型枠への取付構造は、請求項１において、前記デザインパネルが、凹凸模様を有するデザインパネル本体と、該デザインパネル本体の上端部を略直角に折曲して形成されたフランジ部とからなり、前記デザインパネル本体の上端部及び下端部には長さ方向に沿って凹凸模様が施されていない無模様部がそれぞれ形成されるとともに、該下端部の無模様部には長さ方向に沿って前記フランジ部と反対方向へ突出する突起が設けられたことを特徴とするものである。
【００１４】
請求項３に記載のデザインパネルの型枠への取付構造は、請求項２において、前記下部留め具が、前記デザインパネルの突起と略等しい長さを有する鉤形の引掛け部と、該引掛け部の側縁から所定の位置で突出し、前記型枠の厚みと略等しい間隔をおいた位置に楔打込み孔を有する一定幅の平板状の係止部と、前記楔打込み孔に打込み可能な形状を有する楔とからなることを特徴とするものである。
【００１５】
請求項４に記載のデザインパネルの型枠への取付構造は、請求項３において、前記上部留め具が、前記下部留め具の引掛け部と略等しい長さを有する鉤形のデザインパネル側挟持片と、該デザインパネル側挟持片の側縁から所定の位置で突出し、前記型枠と略等しい間隔をおいた位置で前記デザインパネル側挟持片と同方向へ折曲して形成された一定幅の略逆Ｌ字形の型枠側挟持片とからなることを特徴とするものである。
【００１６】
【発明の実施の形態】
以下、本発明に係るデザインパネルの型枠への取付構造について説明する。まず、図１に示すように、コンクリート塀の施工に用いる施工具は、型枠１０と、該型枠１０の表側面１１に沿わせて取り付けられるデザインパネル２０と、該デザインパネル２０の上端部２１を型枠１０の上端１２に固定する上部留め具３０と、デザインパネル２０の下端部２２を型枠１０に下端１３に固定するとともに、型枠１０を上下配置する際に、上段の型枠１０の表側面１１と下段の型枠１０の表側面１１とを略面一に保持する下部留め具４０と、上段の型枠２０と下段の型枠２０との間に取り付けて、相対向する一対の型枠２０の間隔を施工すべきコンクリート塀の厚みに対応した間隔に保持するセパレータ５０等から構成されている。
【００１７】
前記型枠１０は、長方形状の四辺の上下の側縁及び左右の側縁をそれぞれ同方向に短く折り曲げて形成している。なお、本実施の形態では、型枠１０を鋼製としたが、木材、樹脂等の材料で形成してもよい。
【００１８】
前記デザインパネル２０は、図２に示すように、非発泡の合成樹脂、具体的には、ポリスチレン、ポリプロピレン又はポリエチレン等の熱可塑性樹脂の薄板からなり、凹凸上に成形された表面には所望の凹凸模様２３が施されたデザインパネル本体２４と、該デザインパネル本体２４の上端部２１を略直角に折曲して形成されたフランジ部２５（図５参照）とからなり、デザインパネル本体２４の上端部２１及び下端部２２には長さ方向に沿って凹凸模様が施されていない無模様部２６が形成されるとともに、該下端部２２の無模様部２６には長さ方向に沿ってフランジ部２５と反対の方向へ突出する一条の突起２７が設けられて構成されている。また、その高さは型枠１０の高さと同一又は少し低い高さとし、その長さは型枠１０の長さと同一又は少し長い長さとしている。
【００１９】
前記凹凸模様２３の突出高さは、低すぎると凹凸模様２３が目立たなくなり、高すぎると成形が困難になるだけでなく、施工されるコンクリート構造物の幅厚の確保が困難になるため、施工後の見栄えと好適な幅厚の確保を考慮して定められている。なお、その形状は、図２に示すものに限定されないで、平面視で多角形、折線、円形、楕円形、波形等の各種の規則的形状とすることができるほか、各種の不規則形状とすることもできる。
【００２０】
また、上下方向に伸びるリブ２８が、デザインパネル本体２４の中央部２４ａ及び一側縁２４ｂに１本ずつフランジ部２５と反対の方向へ突出して設けられている。このとき、前記中央部２４ａのリブ２８は、施工後のコンクリート塀７２にこれらリブ２８が転写されることにより形成される縦溝７３（図７参照）が略等間隔となるように、この２本のリブ２８の中心間距離が、中央部２４ａのリブ２８の中心から他側縁２４ｃまでの距離よりリブ２８の幅の略１／２だけ長くなるように設けられている。
【００２１】
そして、前記各突起２７は、一側縁２４ｂのリブ２８と中央部２４ａのリブ２８との間と、中央部２４ａのリブ２８と他側縁２４ｃとの間にそれぞれ形成されている。その突出高さは、凹凸模様２３の突出高さと等しい又はそれよりも小さい寸法としている。また、その長さは２本のリブ２８の中心間距離又は中央部２４ａのリブ２８の中心から他側縁２４ｃまでの距離より少し短くしている。
【００２２】
前記上部留め具３０は、図３に示すように、後述する前記下部留め具４０の引掛け部４１（図４参照）と略等しい長さを有する鉤形のデザインパネル側挟持片３１と、該デザインパネル側挟持片３１の側縁から所定の位置で突出し、前記型枠１０の厚みと略等しい間隔をおいた位置で前記デザインパネル側挟持片３１と同方向へ折曲して形成された一定幅の略逆Ｌ字形の型枠側挟持片３２とから構成されている。
【００２３】
その高さはデザインパネル２０の無模様部２６に高さと略等しい高さとし、その長さ方向の両端を後述するセパレータ５０のキャップ５２の形状に沿う形状として、施工時にセパレータ５０とデザインパネル側掛止部３１との間からコンクリートが漏れないようにしている（図６参照）。
【００２４】
前記下部留め具４０が、図４に示すように、前記デザインパネル２０の突起２７（図２参照）と略等しい長さを有する鉤形の引掛け部４１と、該引掛け部４１の側縁から所定の位置で突出し、型枠１０の厚みと略等しい間隔をおいた位置に楔打込み孔４２を有する一定幅の平板状の係止部４３と、前記楔打込み孔４２に打込み可能な形状を有する楔４４とから構成されている。
【００２５】
前記引掛け部４１の長さは上部留め具３０のデザインパネル側掛止部３１の長さと略等しい長さとし、その高さはデザインパネル２０の無模様部２６の高さと略等しい高さとしている。また、上部留め具３０のデザインパネル側掛止部３１と同様に、その長さ方向の両端を後述するセパレータ５０のキャップ５２の形状に沿う形状として、施工時にセパレータ５０と引掛け部４１との間からコンクリートが漏れないようにしている。また、前記係止部４３は、施工時に上部留め具３０の型枠側挟持片３２と重ならない位置に設けられている（図６参照）。
【００２６】
前記セパレータ５０は、図１に示すように、相対向する一対の型枠１０の間隔に応じた長さを有する本体５１と、該本体５１の両端に設けられる中空円錐形状のキャップ５２と、前記本体５１の両端に一体的に形成され、端部に楔打込み孔５３を有する一定幅の平板状に形成された載置板５４（図６参照）と、前記楔打込み孔５３に打込み可能な形状を有する不図示の楔とから構成されている。
【００２７】
前記載置板５４は、前記下部留め具４０の係止部４３と略等しい形状としている。また、図示はしないが、施工後に本体５１から切離しが容易となるように、本体５１と載置板５４との接続部分に切込溝が形成されている。
【００２８】
なお、本実施の形態では、セパレータ５０の楔打込み孔５３を下部留め具４０の楔打込み孔４２と略等しい形状とし、下部留め具４０の楔４４をセパレータ５０の楔としても使用できるようにしている。
【００２９】
以下、前述に示す施工具等を用いたコンクリート塀の施工について説明する。まず、図５に示すように、型枠１０の上面１４にデザインパネル２０のフランジ部２５を乗せて、型枠１０の表側面１１全体を覆うようにデザインパネル本体２４をあてがい、上部留め具３０を、そのデザインパネル側挟持片３１がデザインパネル本体２４の無模様部２６を覆うようにして、デザインパネル本体２４の上端部２１に引掛けるとともに、上部留め具３０の型枠側挟持片３２を型枠１０に掛着させて、型枠１０の上端１２とデザインパネル本体２４の上端部２１とを挟持することにより、デザインパネル２０を型枠１０に取り付ける。
【００３０】
次に、表側面１１にデザインパネル２０が取り付けられた型枠１０を互いに相対向するように立設し、所定の枚数を横方向に配設して、適当な固定手段により隣接する型枠１０を相互に連結、固定する。
【００３１】
このとき、これら最下段に位置する相対向する型枠１０の下端１３どうしの固定は、一般に使用されている基礎用のセパレータ等を用いておこなわれて、相対向する型枠１０の下端１３間の間隔が、施工すべきコンクリート塀の厚みに対応した所定の間隔に隔てられるとともに、デザインパネル２０の下端部２２を型枠１０の下端１３に固定する。
【００３２】
型枠１０を横方向に連結後、続いて上方への連結をおこなう。まず、図６に示すように、キャップ５２を隣合う上部留め具３０間に嵌め込むようして、セパレータ５０を相対向する型枠１０間に設置する。このとき、上部留め具３０のデザインパネル側掛止部３１の両端は、キャップ５２の形状に沿うように形成されているので、セパレータ５０はぐらつくことなく、確実に嵌め込まれる。
【００３３】
続けて、引掛け部４１を隣合うセパレータ５０のキャップ５２間に嵌め込むようにして、各型枠１０上に下部留め具４０を設置する。このとき、下部留め具４０の引掛け部４１の両端は、キャップ５２の形状に沿うように形成されているので、下部留め具４０もセパレータ５０と同様にぐらつくことなく、確実に嵌め込まれる。
【００３４】
そして、デザインパネル２０を取り付けた型枠１０を、下部留め具４０の引掛け部４１にデザインパネル２０の突起２７を引掛けるようにして既に固定されている型枠１０の上面１４に載置して、適当な固定手段を用いて上下方向に隣接する型枠１０を相互に連結、固定することにより、型枠１０を上下方向に連結する。
【００３５】
次に、下部留め具４０の楔打込み孔４２及びセパレータ５０の楔打込み孔５３にそれぞれ楔４４を打込んで、デザインパネル本体２４の下端部２２を型枠１０１の下端１３に固定する。また、楔４４を打込むことにより、セパレータ５０と楔４４とで型枠１０が挟持されることとなり、相対向する型枠１０間の間隔を一定に保持するだけでなく、上下に位置する型枠１０の表側面１１を略面一にすることができる（図１参照）。
【００３６】
以下、同様の要領で、所望の高さになるまで、型枠１０を上方向に連結、固定してゆくとともに、横方向に隣接する型枠１０を相互に連結、固定して、所望枚数の型枠１０を配設した後、不図示の支保工により型枠１０の裏側面から支持する。
【００３７】
最後に、最上段に位置する相対向する型枠１０の上端１２どうしを適当な固定手段により固定して、コンクリート打設時のコンクリートの側圧による相対向する型枠１０の各上端１２間の間隔の広がりを防止する。
【００３８】
これにより、施工すべきコンクリート塀の両側面に凹凸模様付与することとなるが、相対向する型枠１０のうち一方の型枠１０のみにデザインパネル２０を取り付けて、いずれか一方の側面のみに凹凸模様を付与することとしてもよい。
【００３９】
型枠１０の配設後、必要により、相対向する型枠１０間のコンクリート充填空間６０（図１参照）に不図示の鉄筋の配筋をおこなった後、このコンクリート充填空間６０にコンクリートを打設する。このとき、デザインパネル１０は上部留め具３０、下部留め具４０及びセパレータ５０により型枠１０の表側面１１に確実に取り付けられているので、コンクリート打設時のコンクリートの側圧により位置ずれを生ずることはない。また、前述のように予め上部留め具３０のデザインパネル側掛止部３１及び下部留め具４０の引掛け部４１の両端の形状を、セパレータ５０のキャップ５２の形状と沿う形状に形成しているので、コンクリートがコンクリート充填空間６０外へ漏れ出ることはない。
【００４０】
この後、コンクリートが徐々に硬化することにより、デザインパネル２０の凹凸模様２３がコンクリートに転写される。
【００４１】
そして、コンクリートを十分に養生させた後、型枠１０を脱枠するとともに、セパレータ５０の載置板５４をセパレータ５０の本体５１から切離すと、図７に示すように、側面７０にデザインパネル２０の凹凸模様２３（図２参照）に対応する凹凸模様７１が転写されたコンクリート塀７２が現われる。
【００４２】
このとき、コンクリート塀７２の側面７０にはデザインパネル２０のリブ２８に対応した上下方向に伸びる縦溝７３が横方向に、型枠１０の上下方向の継ぎ目には上部留め具３０及び下部留め具４０に対応した横方向に伸びる横溝７４が上下方向に、それぞれ略等間隔に複数本形成され、凹凸模様７１とともに、装飾模様の一部分を構成する。
【００４３】
このように、施工されたコンクリート塀７２の側面７０には、凹凸模様７１、縦溝７３及び横溝７４が形成され、これら凹凸模様７１等により良好な外観が与えられる。
【００４４】
また、本実施の形態に示すコンクリート塀以外に、基礎、擁壁等の各種コンクリート構造物にも使用することができる。
【００４５】
【発明の効果】
以上説明したように、本発明の請求項１に記載のデザインパネルの型枠への取付構造によれば、デザインパネルが取り付けられた型枠を上下方向に配置する際に、上段の型枠と下段の型枠とを略面一に保持することができるとともに、上段の型枠と下段の型枠との間にセパレータを設置して、相対向する型枠間を所定の間隔に保持することができるので、上下方向に複数枚のデザインパネルを積み重ねることが可能となり、上下方向に高さ距離があるコンクリート構造物であっても、その表面に凹凸模様を転写することができるという利点がある。
【００４６】
また、施工されたコンクリート構造物の側面には、凹凸模様等が形成され、この凹凸模様等により良好な外観が与えられるので、従来のように、コンクリート構造物の施工後にモルタルを塗布又は吹き付けたり、タイル貼りをおこなう必要がなく、これにより、施工の工数を減らすことができるとともに、モルタル塗り等のコストを削減することができるという利点がある。
【００４７】
本発明の請求項２に記載のデザインパネルの型枠への取付構造によれば、離型後、デザインパネルの表面に付着したコンクリート付着物を除去すれば、デザインパネルを繰り返して使用することができるという利点がある。これにより、施工コストを削減することができるという利点がある。
【００４８】
また、デザインパネルの下端部に突起を形成することにより、横方向の強度が増し、型枠への取付け時にデザインパネルが折れ曲がることを抑えることができるので、コンクリート打設時のコンクリートの側圧による目地形状の変形を抑えることができるという利点がある。
【００４９】
請求項３に記載のデザインパネルの型枠への取付構造によれば、下部留め具に引掛け部を形成したことにより、該引掛け部にデザインパネルの突起を引掛けることができるので、デザインパネルの下端部の型枠の下端への固定を容易にして作業性を向上させることができるという利点がある。
【００５０】
同様に、本発明の請求項４に記載のデザインパネルの型枠への取付構造によれば、上部留め具でデザインパネルの上端部及び型枠の上端を挟持することにより、デザインパネルの上端部の型枠の上端への固定をおこなうので、固定が容易であり、作業性を向上させることができるという利点がある。
【００５１】
本発明のデザインパネルの型枠への取付構造によれば、従来のように、コンクリートを打設した後、コンクリート表面にモルタルを塗布したり吹き付けたりしてある程度の凹凸を施したり、タイル貼りすること等なく、作業性の向上とコストの削減を図りながら、塀のように横方向にだけでなく上下方向にも広い面を有するコンクリート構造物に凹凸模様を施してその見栄えを向上させることができるという利点がある。
【図面の簡単な説明】
【図１】本発明の実施の形態を示す概略平面図である。
【図２】本発明のデザインパネルを示す概略正面図である。
【図３】本発明の上部留め具を示す概略斜視図である。
【図４】本発明の下部留め具を示す概略斜視図である。
【図５】本実施の形態の施工手順を示す概略図である。
【図６】本実施の形態の施工手順を示す概略図である。
【図７】コンクリート塀を示す部分正面図である。
【図８】従来の実施の形態を示す概略断面図である。
【符号の説明】
１０  型枠
１２  上端
１３  下端
２０  デザインパネル
２１  上端部
２２  下端部
３０  上部留め具
４０  下部留め具
４２  楔打込み孔
４４  楔
【図１】
0003821279.tif 000002
【図２】
0003821279.tif 000003
【図３】
0003821279.tif 000004
【図４】
0003821279.tif 000005
【図５】
0003821279.tif 000006
【図６】
0003821279.tif 000007
【図７】
0003821279.tif 000008
【図８】
0003821279.tif 000009